(57)【要約】【課題】複数の表示領域の境界部分にてノイズおよびフリッカの少ないフレーム補間動作またはオーバードライブ画像生成動作を行うことが可能な映像表示装置を提供することを目的とする。【解決手段】信号源３０１は、表示領域１００ａ〜１１５ａの表示データを各表示モジュール１００〜１１５へ配信し、各表示モジュール１００〜１１５は、当該表示モジュール１００〜１１５に割り当てられる表示領域１００ａ〜１１５ａと、これに隣接する表示モジュールに割り当てられる表示領域のうち当該表示モジュール側領域とを含む演算領域の表示データを時系列の順に複数フレーム抽出し、複数フレームの表示データを用いてフレーム補間演算を実施し、フレーム補間演算により得られた補間フレームの表示データから当該表示モジュール１００〜１１５に割り当てられる表示領域１００ａ〜１１５ａに対応する補間フレームの表示データを抽出するデータ処理部を備えている。【選択図】図６
2020201410.tif 000002
【特許請求の範囲】
【請求項１】
映像信号の信号源に接続され、かつ、複数の表示モジュールを配列して１つの表示画面を形成する映像表示装置であって、
前記信号源は、前記表示画面の全ての表示領域の表示データを各前記表示モジュールへ配信し、
各前記表示モジュールは、当該表示モジュールに割り当てられる表示領域と、これに隣接する表示モジュールに割り当てられる表示領域のうち当該表示モジュール側領域とを含む演算領域の表示データを時系列の順に複数フレーム抽出し、前記複数フレームの表示データを用いてフレーム補間演算を実施し、前記フレーム補間演算により得られた補間フレームの表示データから当該表示モジュールに割り当てられる前記表示領域に対応する補間フレームの表示データを抽出するデータ処理部を備えた、映像表示装置。
【請求項２】
前記データ処理部は、当該データ処理部が備える前記表示モジュールに割り当てられる前記表示領域に対応する前記補間フレームの前記表示データを用いて、当該表示モジュールに割り当てられる前記表示領域の前記表示データのフレームレートを逓倍して描画するフレーム補間動作を行う、請求項１に記載の映像表示装置。
【請求項３】
映像信号の信号源に接続され、かつ、複数の表示モジュールを配列して１つの表示画面を形成する映像表示装置であって、
前記信号源は、前記表示画面の全ての表示領域の表示データを各前記表示モジュールへ配信し、
各前記表示モジュールは、当該表示モジュールに割り当てられる表示領域と、これに隣接する表示モジュールに割り当てられる表示領域のうち当該表示モジュール側領域とを含む演算領域の表示データを時系列の順に複数フレーム抽出し、前記複数フレームの表示データを用いてオーバードライブ画像演算を実施し、前記オーバードライブ画像演算により得られた表示データから当該表示モジュールに割り当てられる前記表示領域に対応する表示データを抽出するデータ処理部を備えた、映像表示装置。
【請求項４】
各前記表示モジュールは、前記演算領域の大きさの設定を受け付ける受付部をさらに備え、
前記データ処理部は、前記受付部で受け付けられた前記演算領域の大きさに応じて前記フレーム補間動作の動作周波数を切り替える、請求項２に記載の映像表示装置。
【請求項５】
各前記表示モジュールは、前記演算領域の大きさの設定を受け付ける受付部をさらに備えた、請求項３に記載の映像表示装置。
【発明の詳細な説明】
【技術分野】
【０００１】
本発明は、液晶ディスプレイなどの表示モジュールを複数配列して１つの表示画面を形成する映像表示装置に関するものである。
【背景技術】
【０００２】
複数の表示モジュールを配列して１つの表示画面を形成する映像表示装置においては、液晶パネルの応答速度に起因するもの、または、ホールド型表示デバイス固有の動作ボケに起因する画質の品位低下が問題となっている。この問題の対策として、フレーム補間を伴う描画フレーム周波数の逓倍化技術およびオーバードライブ技術が知られている（例えば、特許文献１参照）。
【先行技術文献】
【特許文献】
【０００３】
【特許文献１】国際公開第２０１１／０２７５９３号
【発明の概要】
【発明が解決しようとする課題】
【０００４】
特許文献１に記載のフレーム補間を伴う描画フレーム周波数の逓倍化技術を１つの表示モジュールを備える映像表示装置に採用した場合、フレーム補間動作を行うことが期待される。
【０００５】
一方、複数の表示モジュールを配列して１つの表示画面を形成する映像表示装置に上記逓倍化技術を採用し、拡大表示のために分割された映像を供給しフレーム補間動作を行った場合、分割された映像からは正確なフレーム補間動作を行うことが困難な場合がある。そのため、それぞれの表示領域の境界部分にてノイズまたはフリッカが発生するという問題がある。
【０００６】
これと同様に、複数のフレームの画像を用いて液晶パネルなどの応答速度向上のためのオーバードライブ画像生成動作を行う場合でも、それぞれの表示領域の境界部分にてノイズまたはフリッカが発生するという問題がある。
【０００７】
そこで、本発明は、複数の表示領域の境界部分にてノイズおよびフリッカの少ないフレーム補間動作またはオーバードライブ画像生成動作を行うことが可能な映像表示装置を提供することを目的とする。
【課題を解決するための手段】
【０００８】
本発明に係る映像表示装置は、映像信号の信号源に接続され、かつ、複数の表示モジュールを配列して１つの表示画面を形成する映像表示装置であって、前記信号源は、前記表示画面の全ての表示領域の表示データを各前記表示モジュールへ配信し、各前記表示モジュールは、当該表示モジュールに割り当てられる表示領域と、これに隣接する表示モジュールに割り当てられる表示領域のうち当該表示モジュール側領域とを含む演算領域の表示データを時系列の順に複数フレーム抽出し、前記複数フレームの表示データを用いてフレーム補間演算を実施し、前記フレーム補間演算により得られた補間フレームの表示データから当該表示モジュールに割り当てられる前記表示領域に対応する補間フレームの表示データを抽出するデータ処理部を備えたものである。
【発明の効果】
【０００９】
本発明によれば、複数の表示領域の境界部分にてノイズおよびフリッカの少ないフレーム補間動作を行うことができる。
【図面の簡単な説明】
【００１０】
【図１】実施の形態１に係る映像表示装置および外部装置の構成図である。
【図２】実施の形態１に係る映像表示装置が備える表示モジュールのブロック図である。
【図３】実施の形態１に係る映像表示装置への画像拡大表示のイメージを示す模式図である。
【図４】複数の表示領域内に形成された、フレーム補間を行う演算領域を示す模式図である。
【図５】演算領域の座標例の表を示す図である。
【図６】実施の形態１に係る映像表示装置におけるフレーム補間動作を示す模式図である。
【図７】マイクロコントローラの動作を示すフローチャートである。
【図８】実施の形態２に係る映像表示装置および外部装置の構成図である。
【図９】関連技術に係る単画面の映像表示装置におけるフレーム補間動作を示す模式図である。
【図１０】関連技術に係る多画面の映像表示装置におけるフレーム補間動作を示す模式図である。
【発明を実施するための形態】
【００１１】
＜実施の形態１＞
本発明の実施の形態１について、図面を用いて以下に説明する。図１は、実施の形態１に係る映像表示装置１０００および外部装置の構成図である。
【００１２】
図１に示すように、映像表示装置１０００は、１６台の表示モジュール１００〜１１５により構成され、１６台の表示モジュール１００〜１１５を配列して１つの表示画面を形成している。各表示モジュール１００〜１１５は単一の表示デバイスであるＬＣＤパネル５（図２参照）、入力端子１（図２参照）、および出力端子２（図２参照）を備え、映像信号ケーブル１０で数珠つなぎ（デイジーチェイン接続）により接続されている。
【００１３】
映像信号ケーブル１０は、サイドチャネル（ＡＵＸチャネル）を備えている。表示モジュール１００はサイドチャネルを介して通信および制御機能におけるマスター装置として動作し、表示モジュール１０１〜１１５はスレーブ装置として動作する。各表示モジュール１００〜１１５には個別の識別番号（ＩＤ）が付与されている。
【００１４】
映像表示装置１０００は、外部装置としての映像信号の信号源３０１に接続されている。信号源３０１は、表示モジュール１００に接続されたコンピュータ等であり、出力端子を備えている。信号源３０１と表示モジュール１００は映像信号ケーブル１０で接続されることで、サイドチャネルが接続されており、数珠つなぎにより接続された全表示モジュール１００〜１１５の制御を行う。
【００１５】
次に、図２を用いて、表示モジュール１００の回路構成を説明する。図２は、映像表示装置１０００が備える表示モジュール１００のブロック図である。なお、表示モジュール１０１〜１１５に関しても表示モジュール１００と同様の回路構成となるため説明を省略する。
【００１６】
図２に示すように、表示モジュール１００は、入力端子１、出力端子２、スケーラＩＣ３、マイクロコントローラ４、ＬＣＤ（Liquid Crystal Display）パネル５、不揮発性メモリ６、赤外線リモコン受光部７、および通信制御端子８を備えている。
【００１７】
入力端子１から映像信号がスケーラＩＣ３に入力される。また、入力端子１は双方向制御信号用の端子であり、入力端子１から制御信号がスケーラＩＣ３に入力される。または、スケーラＩＣ３から制御信号が入力端子１に出力される。
【００１８】
スケーラＩＣ３から映像信号が出力端子２に出力される。また、出力端子２は双方向制御信号用の端子であり、出力端子２から制御信号がスケーラＩＣに入力される。または、スケーラＩＣ３から制御信号が出力端子２に出力される。
【００１９】
スケーラＩＣ３は、基本的には入力された映像信号を処理し、ＬＣＤパネル５を駆動して映像を表示する機能を有するが、実施の形態１では、それに加えて、フレーム補間演算、ＬＣＤパネル５の駆動速度を上げるためのオーバードライブ演算およびバックライト輝度を調節する機能を有している。
【００２０】
ＬＣＤパネル５は、映像信号に基づいた映像を表示し、さらにＯＳＤ操作画面を表示する。スケーラＩＣ３とマイクロコントローラ４は通信バスで接続されている。当該通信バスは、スケーラＩＣ３の内部ブリッジ回路３ａにより入力端子１および出力端子２のサイドチャネルに接続されている。
【００２１】
マイクロコントローラ４はスケーラＩＣ３の制御を行う。マイクロコントローラ４によるスケーラＩＣ３の制御の詳細については後述する。マイクロコントローラ４には、赤外線リモコン受光部７が接続され、外部の赤外線リモコン（図示省略）からのＯＳＤ（On Screen Display）操作コマンドを受信する。またマイクロコントローラ４には、不揮発性メモリ６および通信制御端子８が接続されている。不揮発性メモリ６は、ＯＳＤ操作の結果に従って各パラメータを記憶するためのメモリである。
【００２２】
次に、フレーム補間動作について説明する。最初に、図９を用いて単画面の場合のフレーム補間動作について説明する。図９は、関連技術に係る単画面の映像表示装置におけるフレーム補間動作を示す模式図である。
【００２３】
図９に示すように、フレーム補間動作を行う前の元画像は、フレームＦ１，Ｆ２，Ｆ３，Ｆ４の順に表示される画像である。そして、フレームＦ１とフレームＦ２の間に補間フレームＦ１２が補間され、フレームＦ２とフレームＦ３の間に補間フレームＦ２３が補間され、フレームＦ３とフレームＦ４の間に補間フレームＦ３４が補間される。なお、実際には単画面の映像表示装置では、表示領域は１６分割されていないが、矢印の画像の位置を分かりやすくするために破線が図示されている。
【００２４】
次に、多画面の場合のフレーム補間動作とその問題点について説明するが、最初に、映像表示装置１０００への画像拡大表示のイメージについて説明する。図３は、映像表示装置１０００への画像拡大表示のイメージを示す模式図である。
【００２５】
図３では、右側に多画面の映像表示装置１０００による拡大表示画像を示し、これと比較するために、左側に単画面の映像表示装置による元画像を示している。図３に示すように、映像表示装置１０００の表示画面は、分割前の表示領域１０００ａに対応している。表示領域１００ａ〜１１５ａは、表示モジュール１００〜１１５にそれぞれ割り当てられており、表示モジュール１００〜１１５の表示画面は、それぞれ分割後の表示領域１００ａ〜１１５ａに対応している。
【００２６】
次に、図１０を用いて、関連技術に係る多画面の映像表示装置の表示領域１０５ａに表示される画像に対するフレーム補間動作を説明する。図１０は、関連技術に係る多画面の映像表示装置におけるフレーム補間動作を示す模式図である。
【００２７】
図１０に示すように、表示領域１０５ａに表示される補間フレームＦ１２，Ｆ２３，Ｆ３４では、フレームＦ１とフレームＦ２の非連続性、フレームＦ２とフレームＦ３の非連続性、およびフレームＦ３とフレームＦ４の非連続性にそれぞれ起因して次のような問題が発生することから画像を補間することが難しい。
【００２８】
補間フレームＦ１２ではフレームＦ１の画像がそのまま使用され、補間フレームＦ２３ではフレームＦ２の画像がそのまま使用されている。また補間フレームＦ３４ではフレームＦ３の画像がそのまま使用されている。この場合、表示領域１０５ａにおいて、時間的に不規則な表示となり、表示領域１０５ａの境界部分にて視聴者によりノイズとして認識される。図１０の円Ａ，Ｂ，Ｃで囲んだ部分はノイズとして認識される箇所である。
【００２９】
次に、このような問題を解消するための実施の形態１のフレーム補間動作について説明する。図４は、複数の表示領域１００ａ，１０１ａ，１０２ａ，１０４ａ，１０５ａ，１０６ａ，１０８ａ，１０９ａ，１１０ａ内に形成された、フレーム補間を行う演算領域７００を示す模式図である。図５は、演算領域７００の座標例の表を示す図である。図６は、映像表示装置１０００におけるフレーム補間動作を示す模式図である。
【００３０】
図４に示すように、表示領域１０００ａの左上の座標を原点（０，０）、右下の座標を（３８３９、２１５９）とする。つまり、表示領域１０００ａは全体で３８４０×２１６０ドットの領域を備える。以下、表示領域１０５ａおよびその周辺領域を含む演算領域７００について説明する。
【００３１】
演算領域７００は、表示領域１０５ａを対象としたフレーム補間演算およびオーバードライブ演算の対象となる領域であり、表示領域１０５ａと、これに隣接する表示領域１００ａ，１０１ａ，１０２ａ，１０４ａ，１０６ａ，１０８ａ，１０９ａ，１１０ａのうち表示領域１０５ａ側（表示モジュール１０５側）の領域とを含む領域である。
【００３２】
表示領域１００ａ，１０１ａ，１０２ａ，１０４ａ，１０５ａ，１０６ａ，１０８ａ，１０９ａ，１１０ａは、表示領域１０５ａを中心とした３×３の領域である。図４と図５に示すように、演算領域７００の縦方向の長さは表示領域１０５ａの縦方向の長さの２倍であり、演算領域７００の横方向の長さは表示領域１０５ａの横方向の長さの２倍である。その結果、演算領域７００の面積は表示領域１０５ａの面積の４倍となり、表示領域１０００ａの面積の４分の１となる。
【００３３】
図６に示すように、表示領域１０５ａのフレーム補間演算を行う際、演算領域７００が使用される。つまり、前後のフレームにおいて矢印の画像が表示領域１０５ａになく、これに隣接する表示領域１００ａ，１０１ａ，１０２ａ，１０４ａ，１０６ａ，１０８ａ，１０９ａ，１１０ａのうち表示領域１０５ａ側の領域にある場合も、演算領域７００の表示データが使用される。以下、「これに隣接する表示領域１００ａ，１０１ａ，１０２ａ，１０４ａ，１０６ａ，１０８ａ，１０９ａ，１１０ａのうち表示領域１０５ａ側の領域」を単に「周辺領域」ともいう。
【００３４】
補間フレームＦ１２を求める際に、演算領域７００の表示データを含むフレームＦ１とフレームＦ２が使用され、補間フレームＦ２３を求める際に、演算領域７００の表示データを含むフレームＦ２とフレームＦ３が使用される。また補間フレームＦ３４を求める際に、演算領域７００の表示データを含むフレームＦ３とフレームＦ４が使用される。フレーム補間演算により得られた補間フレームＦ１２，Ｆ２３，Ｆ３４の表示データから表示領域１０５ａに対応する補間フレームＦ１２，Ｆ２３，Ｆ３４の表示データが抽出され、ＬＣＤパネル５へ出力される。
【００３５】
上記では、フレーム補間演算の場合について説明したが、オーバードライブ画像演算の場合においても同様に演算領域７００が使用される。
【００３６】
図４に示すように、フレーム補間演算またはオーバードライブ画像演算は、表示領域１０５ａおよびその周辺領域を含む演算領域７００だけではなく、表示領域１０５ａ以外の表示領域１００ａ〜１０４ａ，１０６ａ〜１１５ａおよびその周辺領域を含む演算領域についても行われる。例えば、表示領域１００ａおよびその周辺領域を含む演算領域の場合、演算領域は、表示領域１００ａと、これに隣接する表示領域１０１ａ，１０４ａ，１０５ａのうち表示領域１００ａ側の領域とを含む領域である。
【００３７】
ここで、各表示モジュール１００〜１１５への演算領域の設定は、赤外線リモコン受光部７が赤外線リモコンからのＯＳＤ操作コマンドを受信することで、マイクロコントローラ４によりスケーラＩＣ３に対し行われる。なお、赤外線リモコン受光部７が演算領域の大きさの設定を受け付ける受付部に相当する。
【００３８】
実施の形態１に係る映像表示装置１０００では、各表示領域１００ａ〜１１５ａおよびその周辺領域を含む領域で、フレーム補間演算またはオーバードライブ画像演算が行われることにより、各表示領域１００ａ〜１１５ａの境界付近のノイズが低減される。図６に示すように、円Ａ，Ｂ，Ｃで囲んだ部分においてノイズが低減される。
【００３９】
次に、図７を用いて、表示モジュール１００が備えるマイクロコントローラ４の動作を説明する。図７は、マイクロコントローラ４の動作を示すフローチャートである。なお、表示モジュール１０１〜１１５が備えるマイクロコントローラ４に関しても表示モジュール１００の場合と同様の動作となるため説明を省略する。
【００４０】
図７に示すように、起動後のマイクロコントローラ４は、マイクロコントローラ４内のメモリ、ＩＯポート、およびスケーラＩＣ３等の周辺ＩＣの初期化を行う（ステップＳ１）。次に、マイクロコントローラ４は、他の表示モジュール１０１〜１１５または外部制御装置である信号源３０１との通信制御、およびコマンド処理などの通信処理を行う（ステップＳ２）。次に、マイクロコントローラ４は、ＯＳＤおよびリモコン操作の処理を行う（ステップＳ３）。
【００４１】
次に、マイクロコントローラ４は、スケーラＩＣ３にフレーム補間演算またはオーバードライブ画像演算に関する演算領域の設定処理を行わせる（ステップＳ４）。次に、マイクロコントローラ４は、スケーラＩＣ３にフレームレート変換周波数の設定処理であるフレームレート設定切り替え処理を行わせる（ステップＳ５）。次に、マイクロコントローラ４は、スケーラＩＣ３にスケーリング（切出しまたは拡大）表示時の設定処理である画像拡大表示設定処理を行わせる（ステップＳ６）。ここで、ステップＳ２〜ステップＳ６はメインループを構成し、繰り返し実行される。
【００４２】
次に、ステップＳ２〜ステップＳ６のメインループにおける、表示モジュール１００〜１１５が備えるマイクロコントローラ４の動作について詳細に説明する。
【００４３】
図７に示すように、ステップＳ２において、マスター装置として動作する表示モジュール１００のマイクロコントローラ４は、予め設定された情報に従い、他の全てのスレーブ装置として動作する表示モジュール１０１〜１１５に対し、演算領域および表示領域の設定情報を映像信号ケーブル１０のサイドチャネルを介して配信する。これと同時にスレーブ装置として動作する表示モジュール１０１〜１１５は、マスター装置として動作する表示モジュール１００から配信される演算領域および表示領域の設定情報を受信する。
【００４４】
ステップＳ３において、ＯＳＤ、リモコン操作により表示モジュール１００〜１１５に対するマスターおよびスレーブ動作の設定が行われる。加えて、ステップＳ３においては、ＯＳＤ、リモコン操作により表示モジュール１００〜１１５の演算領域および表示領域の設定情報が更新される。
【００４５】
ここで、演算領域を広げる場合は、大きい動き量への対応を行うことを意味するが、これは同時に画像の変化速度が大きいことを意味する。画像の変化速度が大きい場合、表示デバイスであるＬＣＤパネル５の応答速度による表示ぼやけが発生する。そのため、演算領域をむやみに拡大しても、ＬＣＤパネル５による表示ぼやけによりノイズが目立たない場合がある。よって、演算領域の設定は、表示される映像コンテンツおよびＬＣＤパネル５の応答速度を鑑みて設定される。
【００４６】
ステップＳ４において、各表示モジュール１００〜１１５のマイクロコントローラ４は、ステップＳ２またはステップＳ３にて設定された演算領域の設定情報に基づき、自身が属する各表示モジュール１００〜１１５のスケーラＩＣ３に、フレーム補間演算またはオーバードライブ画像演算の演算領域を設定させる。
【００４７】
ステップＳ５において、各表示モジュール１００〜１１５のマイクロコントローラ４は、自身が属する各表示モジュール１００〜１１５のスケーラＩＣ３に、演算領域の範囲の大きさが一定の閾値を超えるか否かによって、フレーム変換の速度を切り替えさせる。例えば、演算領域７００の大きさが表示領域１０５ａの４倍までは、スケーラＩＣ３への入力信号が４逓倍され、４倍を超える場合は２逓倍される。
【００４８】
ステップＳ６において、各表示モジュール１００〜１１５のマイクロコントローラ４は、自身が属する各表示モジュール１００〜１１５のスケーラＩＣ３に、ステップＳ２またはステップＳ３にて設定された演算領域のフレーム補間画像を、表示領域１００ａ〜１１５ａに表示するための画像拡大表示設定処理を行わせる。
【００４９】
画像拡大表示設定処理において、各表示モジュール１００〜１１５のマイクロコントローラ４は、自身が属する各表示モジュール１００〜１１５のスケーラＩＣ３に、当該表示モジュール１００〜１１５に割り当てられる表示領域１００ａ〜１１５ａと、これに隣接する表示モジュールに割り当てられる表示領域のうち当該表示モジュール側領域とを含む演算領域の表示データを時系列の順に複数フレーム（前後のフレーム）抽出させる。次に、各表示モジュール１００〜１１５のマイクロコントローラ４は、自身が属する各表示モジュール１００〜１１５のスケーラＩＣ３に、複数フレーム（前後のフレーム）の表示データを用いてフレーム補間演算を実施し、フレーム補間演算により得られた補間フレームの表示データから当該表示モジュール１００〜１１５に割り当てられる表示領域に対応する補間フレームの表示データを抽出させる。
【００５０】
次に、各表示モジュール１００〜１１５のマイクロコントローラ４は、自身が属する各表示モジュール１００〜１１５のスケーラＩＣ３に、当該スケーラＩＣ３が属する表示モジュール１００〜１１５に割り当てられる表示領域１００ａ〜１１５ａに対応する補間フレームの表示データを用いて、当該表示モジュール１００〜１１５に割り当てられる表示領域１００ａ〜１１５ａの表示データのフレームレートを逓倍して描画するフレーム補間動作を行わせる。ここで、各表示モジュール１００〜１１５が備えるスケーラＩＣ３がデータ処理部に相当する。なお、フレーム補間動作に代えて、オーバードライブ画像生成動作を行わせる場合も、画像拡大表示設定処理の際に行われる。
【００５１】
以上のように、実施の形態１に係る映像表示装置１０００では、信号源３０１は、表示画面の全ての表示領域１００ａ〜１１５ａの表示データを各表示モジュール１００〜１１５へ配信し、各表示モジュール１００〜１１５は、当該表示モジュール１００〜１１５に割り当てられる表示領域１００ａ〜１１５ａと、これに隣接する表示モジュールに割り当てられる表示領域のうち当該表示モジュール側領域とを含む演算領域の表示データを時系列の順に複数フレーム抽出し、複数フレームの表示データを用いてフレーム補間演算を実施し、フレーム補間演算により得られた補間フレームの表示データから当該表示モジュール１００〜１１５に割り当てられる表示領域１００ａ〜１１５ａに対応する補間フレームの表示データを抽出するデータ処理部としてのスケーラＩＣ３を備えた。
【００５２】
または、信号源３０１は、表示画面の全ての表示領域の表示データを各表示モジュール１００〜１１５へ配信し、各表示モジュール１００〜１１５は、当該表示モジュール１００〜１１５に割り当てられる表示領域と、これに隣接する表示モジュールに割り当てられる表示領域のうち当該表示モジュール側領域とを含む演算領域の表示データを時系列の順に複数フレーム抽出し、複数フレームの表示データを用いてオーバードライブ画像演算を実施し、オーバードライブ画像演算により得られた表示データから当該表示モジュールに割り当てられる表示領域に対応する表示データを抽出するデータ処理部としてのスケーラＩＣ３を備えた。
【００５３】
したがって、表示領域１００ａ〜１１５ａおよびその周辺領域を考慮したフレーム補間演算またはオーバードライブ画像演算を行うことができるため、複数の表示領域の境界部分にてノイズおよびフリッカの少ないフレーム補間動作またはオーバードライブ画像生成動作を行うことができる。
【００５４】
また、表示画面全体の表示領域１０００ａを対象とした演算を行わず、各表示モジュール１００〜１１５に割り当てられる表示領域１００ａ〜１１５ａおよびその周辺領域を考慮したフレーム補間演算またはオーバードライブ画像演算を行うため、表示画面全体の表示領域１０００ａを対象とした演算を行う場合に比べて処理時間が減り、演算に必要なメモリおよび計算回路等の規模を小規模にした構成が可能となり低コスト化を実現できる。
【００５５】
スケーラＩＣ３は、当該スケーラＩＣ３が備える表示モジュール１００〜１１５に割り当てられる表示領域１００ａ〜１１５ａに対応する補間フレームの表示データを用いて、当該表示モジュールに割り当てられる表示領域の表示データのフレームレートを逓倍して描画するフレーム補間動作を行う。したがって、動作ボケが改善されることで画質の品位が向上ずる。
【００５６】
各表示モジュール１００〜１１５は、演算領域の大きさの設定を受け付ける受付部としての赤外線リモコン受光部７をさらに備え、スケーラＩＣ３は、赤外線リモコン受光部７で受け付けられた演算領域の大きさに応じてフレーム補間動作の動作周波数を切り替える。
【００５７】
したがって、ＬＣＤパネル５の応答速度と表示コンテンツの変化速度に対応して、ノイズ低減効果または使用する計算リソースの優先度を変更することができる。
【００５８】
また、オーバードライブ画像演算を行う場合にも、各表示モジュール１００〜１１５は、演算領域の大きさの設定を受け付ける赤外線リモコン受光部７をさらに備えたため、ＬＣＤパネル５の応答速度と表示コンテンツの変化速度に対応して、ノイズ低減効果または使用する計算リソースの優先度を変更することができる。
【００５９】
＜実施の形態２＞
次に、実施の形態２に係る映像表示装置１０００について説明する。図８は、実施の形態２に係る映像表示装置１０００および外部装置の構成図である。なお、実施の形態２において、実施の形態１で説明したものと同一の構成要素については同一符号を付して説明は省略する。
【００６０】
図８に示すように、実施の形態２では、実施の形態１に対して映像表示装置１０００に接続される外部装置の構成が異なっている。映像表示装置１０００に接続される外部装置は、信号源３０１、信号分配器４０１、制御装置５０１、およびスイッチングハブ６０１である。
【００６１】
信号分配器４０１は、映像信号の分配機能を持つ映像信号分配器であり、その映像入力端子には、映像信号ケーブル３１１を介して信号源３０１が接続されている。映像表示装置１０００には、各表示モジュール１００〜１１５の映像入力端子に、映像信号ケーブル群３２１を介して信号分配器４０１の映像出力端子がそれぞれ接続されている。
【００６２】
制御装置５０１のＬＡＮ通信制御出力端子は、スイッチングハブ６０１の入出力端子の１つにケーブル５１１を介して接続され、他の入出力端子はケーブル群５２１を介して各表示モジュール１００〜１１５の通信制御端子８に接続されている。
【００６３】
表示モジュール１００が備えるマイクロコントローラ４の動作は、実施の形態１において説明した動作と同様である。表示モジュール１００〜１１５はスレーブ装置として動作し、ステップＳ２の通信制御は制御装置５０１と各表示モジュール１００〜１１５間との間でケーブル５１１、スイッチングハブ６０１、およびケーブル群５２１を介して行われる。
【００６４】
以上のように、実施の形態２に係る映像表示装置１０００では、上記のように構成されたため、実施の形態１の場合と同様の効果が得られる。
【００６５】
なお、本発明は、その発明の範囲内において、各実施の形態を自由に組み合わせたり、各実施の形態を適宜、変形、省略することが可能である。
【符号の説明】
【００６６】
３  スケーラＩＣ、７  赤外線リモコン受光部、１００〜１１５  表示モジュール、３０１  信号源、１０００  映像表示装置。
【図１】
2020201410.tif 000003
【図２】
2020201410.tif 000004
【図３】
2020201410.tif 000005
【図４】
2020201410.tif 000006
【図５】
2020201410.tif 000007
【図６】
2020201410.tif 000008
【図７】
2020201410.tif 000009
【図８】
2020201410.tif 000010
【図９】
2020201410.tif 000011
【図１０】
2020201410.tif 000012